(57)【要約】  【解決手段】  直交周波数分割多重方式（ＯＦＤＭ）変調方法であって、ＯＦＤＭ信号の実成分および虚成分を両方とも位相変調する工程を含む方法。  【選択図】    図１
2013530616.tif 000002
【特許請求の範囲】
【請求項１】
直交周波数分割多重方式（ＯＦＤＭ）変調方法であって、
ＯＦＤＭ信号の実成分および虚成分を位相変調する工程を含む方法。
【請求項２】
請求項１記載の方法において、
事前に前記ＯＦＤＭ信号の実成分および虚成分を独立してスケーリングする工程を含むものである方法。
【請求項３】
請求項２記載の方法において、
【数４９】
2013530616.tif 000052
および
【数５０】
2013530616.tif 000053
は前記ＯＦＤＭ信号の実成分および虚成分のスケーリングを示すものであり、
ここで、
【数５１】
2013530616.tif 000054
と
【数５２】
2013530616.tif 000055
はそれぞれ前記ＯＦＤＭメッセージ信号の実成分および虚成分であり、
【数５３】
2013530616.tif 000056
は定数除算項（ｃｏｎｓｔａｎｔ  ｄｉｖｉｓｉｏｎ  ｔｅｒｍ）であり、Φ１（ｔ）およびΦ２（ｔ）はそれぞれ前記スケーリングされたＯＦＤＭ信号の実成分および虚成分を表し、このΦ１（ｔ）およびΦ２（ｔ）は互換性があるものである方法。
【請求項４】
請求項３記載の方法において、事前に前記ＯＦＤＭメッセージ信号の逆高速フーリエ変換（ＩＦＦＴ）を得る工程を含むものである方法。
【請求項５】
請求項４記載の方法において、前記ＩＦＦＴはＮ点の逆フーリエ変換であり、以下の式から得られ、
【数５４】
2013530616.tif 000057
ここで、Ｔｓはシンボル期間であり、Ｘｋは
【数５５】
2013530616.tif 000058
として表される複合信号である方法。
【請求項６】
請求項２記載の方法において、
前記ＯＦＤＭ信号の実成分にオフセット項を加算する工程を含むものである方法。
【請求項７】
請求項６記載の方法において、さらに、
前記位相変調ＯＦＤＭ実成分から前記位相変調ＯＦＤＭ虚成分を減算する工程を含むものである方法。
【請求項８】
請求項７記載の方法において、
【数５６】
2013530616.tif 000059
は、
前記ＯＦＤＭ信号のスケーリング実成分にオフセット項を加算し、および前記位相変調ＯＦＤＭ実成分から前記位相変調スケーリング虚成分を減算するものであり、
ここで、Φ１（ｔ）およびΦ２（ｔ）はそれぞれ前記スケーリングＯＦＤＭ実成分および虚成分を表し、Ψｏｓは前記オフセット項を表すものである方法。
【請求項９】
請求項８記載の方法において、Ψｏｓが十分に大きくなり、Φ１（ｔ）およびΦ２（ｔ）が十分に小さくなるようにΨｏｓが選択されるものである方法。
【請求項１０】
請求項９記載の方法において、ΨｏｓはΦ１（ｔ）およびΦ２（ｔ）より約２２倍大きいものである方法。
【請求項１１】
請求項１０記載の方法において、さらに、
前記変調ＯＦＤＭ信号から優位周波数成分を減算する工程を含むものである方法。
【請求項１２】
請求項１１記載の方法において、
【数５７】
2013530616.tif 000060
は、前記優位周波数成分を表し、これは前記ＯＦＤＭ信号から減算されるものであり、
ここで、γは優位周波数成分コントロールファクター、βは前記実信号および虚信号の適用位相偏移、Ｊ０（β）は０位および独立変数βとする第一種ベッセル関数である方法。
【請求項１３】
請求項１２記載の方法に従ってＯＦＤＭ信号のＰＡＰＲをコントロールする方法において、
ＯＦＤＭ変調器が前記変調ＯＦＤＭ信号から前記優位周波数成分を減算する工程と、
ＯＦＤＭ復調器が前記優位周波数成分を復元する工程と
を含むものである方法。
【請求項１４】
請求項１３記載の方法において、
ＯＦＤＭ変調器において、値０〜１の範囲で前記優位周波数成分コントロールファクターを調整する工程を含むものである方法。
【請求項１５】
請求項１３記載の方法において、
ＯＦＤＭ復調器において、前記信号のＰＡＰＲを決定することにより前記優位周波数成分コントロールファクターを検出する工程と、
前記優位周波数成分コントロールファクター（γ）、オフセット項（Ψｏｓ）、および定数除算項
【数５８】
2013530616.tif 000061
のうちの１つ若しくはそれ以上のものに対するＰＡＰＲが記載されている参照テーブルにアクセスする工程と
を含むものである方法。
【請求項１６】
ＯＦＤＭ信号を復調する方法であって、
ＯＦＤＭ変調信号のＰＡＰＲを検出する工程と、
前記ＯＦＤＭ信号のＰＡＰＲを検査することにより、優位周波数成分コントロールファクターおよび前記ＯＦＤＭ信号の定数除算項を決定する工程と、
前記優位周波数を前記ＯＦＤＭ変調信号に再導入する工程と、
前記ＯＦＤＭ信号の実成分および虚成分を前記受信信号から一連の一意的な工程を経て再構成する工程と
を含む方法。
【請求項１７】
請求項１６記載の方法において、さらに、
前記ＯＦＤＭ信号の高速フーリエ変換（ＦＦＴ）を取得する工程を含むものである方法。
【請求項１８】
請求項１７記載の方法において、さらに、
前記信号をイコライザーに通す工程を含むものである方法。
【請求項１９】
請求項１６記載の方法において、前記優位周波数成分コントロールファクターは、前記優位周波数成分コントロールファクター（γ）、オフセット項（Ψｏｓ）、および定数除算項
【数５９】
2013530616.tif 000062
の所定の数値に対するＰＡＰＲ値を参照する参照テーブルにアクセスすることにより決定されるものである方法。
【請求項２０】
請求項１〜１２のいずれかに記載の方法を、動作中に実施するものであるＯＦＤＭ変調器。
【請求項２１】
ＯＦＤＭ変調器であって、
前記変換入力信号の虚成分および実成分をスケーリングするスケーリング部と、
前記入力メッセージの実成分にオフセット項を加算するオフセット項加算部と、
余弦波を使用して、前記入力メッセージの実成分および虚成分を変調する位相変調器と、
前記位相変調ＯＦＤＭ実成分から前記位相変調ＯＦＤＭ虚成分を減算する減算部と、
前記信号から所定の優位周波数を減算するように動作可能な減算部と
を含むＯＦＤＭ変調器。
【請求項２２】
請求項１６〜１９のいずれか１つに記載の方法を、動作中に実施するものであるＯＦＤＭ復調器。
【請求項２３】
ＯＦＤＭ変調器であって、
入力信号のＰＡＰＲを決定するＰＡＰＲ検出部と、
優位周波数成分コントロールファクター（γ）、オフセット項（Ψｏｓ）、および定数除算項
【数６０】
2013530616.tif 000063
の所定の数値に対するＰＡＰＲを参照する参照テーブルと、
前記参照テーブルの前記数値から前記優位周波数成分を決定するプロセッサと、
所定の優位周波数を前記信号に加算する加算部と、
ＯＦＤＭ信号の実成分および虚成分を復調する一意的なＯＦＤＭ復調器と
を含む装置。
【請求項２４】
請求項２０および２１のいずれか１つに記載の変調器、ならびに請求項２２および２３のいずれか１つに記載の復調器のうちのいずれか１つ若しくは両方を含むものであるコミュニケーション調整部。
【請求項２５】
請求項１記載の方法において、実質的に本明細書に記載され、かつ図示されるＯＦＤＭ変調方法。
【請求項２６】
請求項１３記載の方法において、実質的に本明細書に記載され、かつ図示されるＯＦＤＭ信号のＰＡＰＲをコントロールする方法。
【請求項２７】
請求項１６記載の方法において、実質的に本明細書に記載され、かつ図示されるＯＦＤＭ信号を復調する方法。
【請求項２８】
請求項２０および２１のいずれか１つに記載の変調器であって、実質的に本明細書に記載され、かつ図示されるＯＦＤＭ変調器。
【請求項２９】
請求項２２および２３のいずれか１つに記載の復調器であって、実質的に本明細書に記載され、かつ図示されるＯＦＤＭ復調器。
【請求項３０】
請求項２４記載の調整部であって、実質的に本明細書に記載され、かつ図示されるコミュニケーション調整部。
【請求項３１】
実質的に本明細書に記載されている新規のＯＦＤＭ変調方法、ＯＦＤＭ信号のＰＡＰＲをコントロールする新規方法、ＯＦＤＭ信号を復調する新規方法、新規のＯＦＤＭ復調器、ならびに新規のコミュニケーション調整部。
【発明の詳細な説明】
【技術分野】
【０００１】
この発明は信号変調（モジュレーション）に関するものである。特に、この発明はＯＦＤＭ変調方法、ＯＦＤＭ変調信号のピーク対平均電力比コントロール方法、ＯＦＤＭ変調信号の復調方法、ＯＦＤＭ変調器、ＯＦＤＭ復調器、およびＯＦＤＭコミュニケーション調整部に関するものである。
【背景技術】
【０００２】
本発明者らはＯＦＤＭ信号を使った処理方法を承知している。しかしながら、ＯＦＤＭ信号の主要な欠点はその高いピーク対平均電力比（ＰＡＰＲ）である。このＰＡＰＲを低減するために様々な方法が提案されてきた。例えば、クリッピング、コーディング、非線形圧伸変換、部分送信系列、選択的マッピング、アクティブな配置点の拡張（ａｃｔｉｖｅ  ｃｏｎｓｔｅｌｌａｔｉｏｎ  ｅｘｔｅｎｓｉｏｎ）、音質限定、および連続エンベロープ位相変調等である。これに対し、本発明者らは、実施上の複雑さを軽減し、追加的な帯域幅の拡張を必要とせず、かつ元のメッセージ信号を再構成するためにサイド情報を必要としない方法を追求した。さらに、そのような方法はキャリア数の増加に応じて深刻なビット誤り率の劣化が生じないようにすべきである。本発明は以上の要求に対応するためになされたものであって、記述的に表現するとすれば、直交周波数分割多重方式のオフセット変調（ＯＭ-ＯＦＤＭ）と称されるものである。
【発明の概要】
【課題を解決するための手段】
【０００３】
本発明の一側面によれば、ＯＦＤＭ変調方法が提供され、この方法は、
ＯＦＤＭ信号の実成分および虚成分を独立して位相変調する工程を含む。
【０００４】
当該方法は、事前に前記ＯＦＤＭ信号の実成分および虚成分を独立してスケーリングする工程を含んでもよい。
【０００５】
前記ＯＦＤＭ信号の実成分および虚成分のスケーリングは以下の式から得られる。
【０００６】
【数１】
2013530616.tif 000003
および
【０００７】
【数２】
2013530616.tif 000004
ここで、
【０００８】
【数３】
2013530616.tif 000005
【０００９】
および
【００１０】
【数４】
2013530616.tif 000006
【００１１】
はそれぞれ前記ＯＦＤＭ信号の実成分および虚成分、
【００１２】
【数５】
2013530616.tif 000007
【００１３】
は定数除算項（ｃｏｎｓｔａｎｔ  ｄｉｖｉｓｉｏｎ  ｔｅｒｍ）、Φ１（ｔ）とΦ２（ｔ）はそれぞれ前記スケーリングされたＯＦＤＭ信号の実成分および虚成分を表し、このΦ１（ｔ）とΦ２（ｔ）は互換性がある。
【００１４】
前記方法は、事前に前記ＯＦＤＭメッセージ信号の逆フーリエ変換（ＩＦＴ）を得る工程を含んでもよい。
【００１５】
前記ＩＦＴはＮ点の逆フーリエ変換であり、以下の式から得られ、
【００１６】
【数６】
2013530616.tif 000008
【００１７】
ここで、Ｔｓは前記シンボル期間、Ｘｋは
【００１８】
【数７】
2013530616.tif 000009
【００１９】
で表される複合信号である。
【００２０】
前記方法は、前記ＯＦＤＭ信号がスケーリングされた実成分にオフセット項を加算する工程を含んでもよい。
【００２１】
前記方法はさらに、前記位相変調ＯＦＤＭスケーリング実成分から前記位相変調ＯＦＤＭスケーリング虚成分を減算する工程を含んでもよい。
【００２２】
前記ＯＦＤＭ信号のスケーリング実成分にオフセット項を位相変調加算し、かつ前記位相変調ＯＦＤＭスケーリング虚成分を減算することを直交周波数分割多重方式信号のオフセット変調（ＯＭ-ＯＦＤＭ）と称し、それは以下の式により得られる。
【００２３】
【数８】
2013530616.tif 000010
【００２４】
ここで、ｆｃはキャリア周波数、Φ１（ｔ）およびΦ２（ｔ）はそれぞれ前記スケーリングＯＦＤＭ実成分および虚成分を表し、Ψｏｓは前記オフセット項を表す。
【００２５】
前記オフセット項Ψｏｓは、Ψｏｓが十分に大きくなり、Φ１（ｔ）およびΦ２（ｔ）が十分に小さくなるように選択される。典型的には、ΨｏｓはΦ１（ｔ）およびΦ２（ｔ）より約２２倍大きい。Ψｏｓおよび
【００２６】
【数９】
2013530616.tif 000011
【００２７】
項の組合せにより、受信機が元の信号をうまく検出できるようにする。
【００２８】
前記方法はさらに、優位の周波数成分を前記変調ＯＦＤＭ信号に加算または減算する工程を含みうる。
【００２９】
当該優位周波数成分は、以下の式により得られる。
【００３０】
【数１０】
2013530616.tif 000012
【００３１】
ここで、γは優位周波数成分のコントロールファクター、βは前記実ＯＦＤＭ信号および虚ＯＦＤＭ信号の適用位相偏移、Ｊ０（β）は０位および独立変数βとする第一種ベッセル関数である。かかる適用位相偏移（β）はＯＦＤＭ信号の前記実偏移および虚偏移を平均化することにより決定しえ、前記実偏移および虚偏移はα１およびα２としてそれぞれ表される。
【００３２】
その後、これらの実ＯＦＤＭ偏移および虚ＯＦＤＭ偏移はスケーリングされ、前記実ＯＦＤＭ信号および虚ＯＦＤＭ信号 の適用位相偏移（β）となり、この過程は以下の式で示される。ここでＥ［．］は期待値である。
【００３３】
【数１１】
2013530616.tif 000013
【００３４】
【数１２】
2013530616.tif 000014
【００３５】
【数１３】
2013530616.tif 000015
【００３６】
【数１４】
2013530616.tif 000016
【００３７】
本発明の別の側面によれば、ＯＦＤＭ信号のＰＡＰＲを上述した方法に従ってコントロールする方法が提供され、この方法はさらに、
ＯＦＤＭ変調器が前記変調ＯＦＤＭ信号から前記優位周波数成分を減算する工程と、
ＯＦＤＭ復調器が前記位相変調信号を復調するために前記優位周波数成分を復元する工程とを含む。
【００３８】
前記方法は、ＯＦＤＭ変調器において前記優位周波数成分コントロールファクターを調整する工程を含んでもよい。
【００３９】
【数１５】
2013530616.tif 000017
【００４０】
前記方法はさらに、ＯＦＤＭ変調器において前記入力信号のＰＡＰＲを検査することにより前記優位周波数成分コントロールファクターを検出する工程を含んでもよく、それにより参照テーブルを使ってΨｏｓ、
【００４１】
【数１６】
2013530616.tif 000018
【００４２】
、およびγ項を抽出できる。
【００４３】
本発明のさらに別の側面によれば、ＯＦＤＭ信号を復調する方法が提供され、この方法は、
ＯＦＤＭ変調信号のＰＡＰＲを検出する工程と、
前記ＯＦＤＭ変調信号の前記ピーク対平均電力比を検査することにより、当該ＯＦＤＭ変調信号の優位周波数成分コントロールファクター（γ）とオフセット項（Ψｏｓ）と定数除算項
【００４４】
【数１７】
2013530616.tif 000019
【００４５】
を決定する工程と、
前記優位周波数を前記ＯＦＤＭ変調信号に再導入する工程と、
前記ＯＦＤＭ信号の実成分および虚成分を再構成する工程と、
前記ＯＦＤＭ信号の実成分および虚成分を加算する工程とを含む。
【００４６】
当該方法はさらに、前記ＯＦＤＭ信号を復調する工程を含んでもよく、この工程では、前記高周波数成分を取り除くことにより、前記スケーリングされた実ＯＦＤＭ、オフセット項および前記スケーリングされた虚ＯＦＤＭとの間の差をみる。これは以下の式より得られる。
【００４７】
【数１８】
2013530616.tif 000020
【００４８】
前記方法はさらに、スケーリングされた位相変調正弦波を乗算することにより、前記入力ＯＦＤＭ変調信号を復調する工程も含んでもよい。前記正弦波位相は前記スケーリングされた虚ＯＦＤＭ成分、前記スケーリングされた実ＯＦＤＭ成分、およびオフセット項との間のスケーリングされた差となる。この乗算ファクターは以下の式により得られる。
【００４９】
【数１９】
2013530616.tif 000021
【００５０】
前記方法はさらに、前記高周波数成分を取り除くことにより、前記入力ＯＦＤＭ信号を復調する工程を含んでもよく、これにより得られる前記スケーリングされた実ＯＦＤＭ、オフセット項および前記スケーリングされた虚ＯＦＤＭ成分の総和は以下の式で表される。
【００５１】
【数２０】
2013530616.tif 000022
【００５２】
前記方法はさらに、前記実ＯＦＤＭ成分および虚ＯＦＤＭ成分を得るように前記入力ＯＦＤＭ変調信号を復調する工程を含んでもよい。
【００５３】
前記方法はさらに、前記ＯＦＤＭ信号の高速フーリエ変換（ＦＦＴ）を取得する工程を含んでもよい。
【００５４】
前記方法はさらに、前記信号をイコライザーに通す工程を含んでもよい。
【００５５】
本発明のさらに別の側面によれば、ＯＦＤＭ変調器が提供され、上述するＯＦＤＭ変調方法を動作中に実施する。
【００５６】
ＯＦＤＭ変調器は、前記変換入力信号の虚成分および実成分をスケーリングするスケーリング部と、
前記入力メッセージのスケーリングされた実成分にオフセット項を加算するオフセット項加算部と、
前記入力メッセージのスケーリングされた実成分および虚成分を変調する位相変調器と、
前記位相変調ＯＦＤＭ実成分から前記位相変調ＯＦＤＭ虚成分を減算する減算部と、
前記信号から所定の優位周波数を減算するように動作可能な減算部とを含む。
【００５７】
本発明のさらに別の側面によれば、ＯＦＤＭ復調器が提供され、上述するＯＦＤＭ復調方法を動作中に実施する。
【００５８】
本発明のさらに別の側面によれば、ＯＦＤＭ復調器が提供され、
入力信号のＰＡＰＲを決定するＰＡＰＲ検出部と、
優位周波数成分コントロールファクター（γ）、オフセット項（Ψｏｓ）、および定数除算項
【００５９】
【数２１】
2013530616.tif 000023
【００６０】
の所定の数値に対するＰＡＰＲを参照する参照テーブルと、
前記参照テーブルの前記数値から前記優位周波数成分を決定するプロセッサと、
前記信号に所定の優位周波数を加算する加算部と、
変調信号を復調するＯＦＤＭ復調器とを含む。
【００６１】
本発明のさらに別の側面によれば、コミュニケーション調整部が提供され、上述した変調器と復調器のいずれか１つ若しくは両方を含む。
【００６２】
本発明は以下の図面を参照して例示する。
【図面の簡単な説明】
【００６３】
【図１】図１は、本発明の一側面によるコミュニケーション調整スキームを示した図である。
【図２】図２は、本発明の別側面によるＯＭ-ＯＦＤＭ変調器を示した図である。
【図３】図３は、本発明の別側面によるＯＭ-ＯＦＤＭ復調器を示した図である。
【図４】図４は、図１におけるコミュニケーション調整部が使用されている場合の帯域幅占有率を示した図である。
【発明を実施するための形態】
【００６４】
図１の参照番号１０はコミュニケーション調整部を示すものであり、これは直交周波数分割多重方式のオフセット変調（ＯＭ-ＯＦＤＭ）変調器２０、同復調器６０およびコミュニケーションチャンネル１００を含む。
【００６５】
送信側で前記変調器が入力メッセージ信号１１を受けとり、当該信号は変調され、前記コミュニケーションチャンネル１００を通過した後、前記ＯＭ復調器に送られ、受信側でこのＯＭ復調器が再構成された出力メッセージ信号１３を提供する。
【００６６】
前記ＯＭ-ＯＦＤＭ変調器２０は、図２により詳細に示されている。１２において、前記入力信号はＮ点の逆高速フーリエ変換（ＩＦＦＴ）であり、当該ＩＦＦＴは以下の式から得られ、
【００６７】
【数２２】
2013530616.tif 000024
【００６８】
ＯＦＤＭ信号と考えられている。ここで、Ｔｓは前記シンボル期間、Ｘｋは
【００６９】
【数２３】
2013530616.tif 000025
【００７０】
として表される複合信号である。当該信号は以下に説明する方法を使用して変調されるものであってもよい。
【００７１】
すなわち、２２において、シリアルパラレル（Ｓ／Ｐ）変換を使用することにより、前記入力信号は実成分と虚成分に分離される。
【００７２】
２２のアウトプットは前記信号の実成分および虚成分を生成し、両者とも、以下の式で示されるように、定数スケーリングファクター
【００７３】
【数２４】
2013530616.tif 000026
で除算することにより、２４および２６においてそれぞれスケーリングされる。
【００７４】
【数２５】
2013530616.tif 000027
【００７５】
および
【００７６】
【数２６】
2013530616.tif 000028
【００７７】
ここで、
【数２７】
2013530616.tif 000029
【００７８】
および
【００７９】
【数２８】
2013530616.tif 000030
【００８０】
はそれぞれ前記ＯＦＤＭ信号の前記実成分および虚成分、
【００８１】
【数２９】
2013530616.tif 000031
【００８２】
は定数除算項、Φ１（ｔ）およびΦ２（ｔ）はそれぞれ均等スケーリングされた実成分および虚成分を含むＯＦＤＭマッピングであり、Φ１（ｔ）およびΦ２（ｔ）は互換性がある。
【００８３】
２８において、定数項Ψｏｓは前記信号実成分に加算される。
【００８４】
３０（３０．１、３０．２、３０．３、３０．４）において、前記適用実成分および虚成分は位相変調される。それぞれの位相変調信号の差は３２（３２．１、３２．２）で得られる。
【００８５】
３４において、前記ベースバンド位相変調信号はキャリア周波数に伝送される。
【００８６】
３６において、前記定数項Ψｏｓとの合成非正弦波は以下の式により得られる。
【００８７】
【数３０】
2013530616.tif 000032
【００８８】
または、以下の式で表される。
【００８９】
【数３１】
2013530616.tif 000033
【００９０】
ここで、Ψｏｓは前記オフセット項である。パラメータ（Ψｏｓ、
【００９１】
【数３２】
2013530616.tif 000034
【００９２】
）は、Ψｏｓが十分に大きく、Φ１（ｔ）とΦ２（ｔ）が十分に小さいときに
【００９３】
【数３３】
2013530616.tif 000035
【００９４】
となるように選択される。この場合、当該Ψｏｓ項が当該式を支配する。
【００９５】
３８において、
【００９６】
【数３４】
2013530616.tif 000036
【００９７】
から得られる優位周波数ファクターは、前記信号が前記コミュニケーションチャンネル１００を横切って４０で変換される前に前記合成信号から減算される。
【００９８】
図３において、前記復調器６０は前記コミュニケーションチャンネル１００からの信号を受信する。
【００９９】
６３において、前記優位周波数
【０１００】
【数３５】
2013530616.tif 000037
【０１０１】
は復元される。
【０１０２】
６４において、以下の式で示されるように、前記受信信号は矩形波に変換され、一連のベースバンドと高周波数成分を生成する。
【０１０３】
【数３６】
2013530616.tif 000038
【０１０４】
６６において、前記矩形波信号の高周波数成分は低域パスフィルタ（ＬＰＦ）を使って取り除かれ、合成信号は以下の式から得られる。
【０１０５】
【数３７】
2013530616.tif 000039
【０１０６】
６８において、定数項は前記ベースバンド信号に加算され、それは以下の式から得られる。
【０１０７】
【数３８】
2013530616.tif 000040
【０１０８】
７０において、前記逆余弦波プロセスが実施され、以下を生成する。
【０１０９】
【数３９】
2013530616.tif 000041
【０１１０】
７２において、追加定数乗算項が導入され、以下の式となる。
【０１１１】
【数４０】
2013530616.tif 000042
【０１１２】
７４において、前記信号は正弦波により位相変調され、以下の式となる。
【０１１３】
【数４１】
2013530616.tif 000043
【０１１４】
７６において、前記信号は定数乗算ファクターで乗算され、以下の式となる。
【０１１５】
【数４２】
2013530616.tif 000044
【０１１６】
７８において、前記信号は除算プロセスにより変換され、以下の式となる。
【０１１７】
【数４３】
2013530616.tif 000045
【０１１８】
７９において、前記受信入力信号は、７８の項に加え、正弦波キャリアにより乗算され、以下の式となる。
【０１１９】
【数４４】
2013530616.tif 000046
【０１２０】
８０において、前記高周波数成分はローパス・フィルタを使うことにより取り除かれ、以下の式で示されるベースバンド信号となる。
【０１２１】
【数４５】
2013530616.tif 000047
【０１２２】
８２において、乗算ファクターが導入され、以下の式となる。
【０１２３】
【数４６】
2013530616.tif 000048
【０１２４】
８４において、逆余弦波作用が働き、以下の式となる。
【０１２５】
【数４７】
2013530616.tif 000049
【０１２６】
８８において、乗算ファクターが導入され、以下の式となる。
【０１２７】
【数４８】
2013530616.tif 000050
【０１２８】
続く９０（９０．１、９０．２）、９２（９２．１、９２．２）、９４、および９６（９６．１、９６．２）の工程は前記実および虚ＯＦＤＭ成分を分離することに用いられる。９９の前記シリアルパラレル（Ｓ／Ｐ）変換はこれら実および虚ＯＦＤＭ成分を合成する。
【０１２９】
ＯＭ-ＯＦＤＭ復調器の最も顕著な利点は、前記優位周波数をコントロールすることにより、信号のＰＡＰＲをコントロールできることである。前記ＯＭ-ＯＦＤＭ復調器における優位周波数の事前知識がなくとも、当該優位周波数は信号と他のパラメータとのＰＡＰＲを一覧する参照テーブルを使用することにより決定しうる。したがって、優位周波数は追加の信号情報なく決定できることになる。一例として、１６直交振幅変調スキーム用の参照テーブルは以下のとおりである。
【０１３０】
【表１】
2013530616.tif 000051
【０１３１】
６３から９９において、前記信号は独自に開発したＯＭ-ＯＦＤＭ復調スキームによって復調され、９６（９６．１、９６．２）で、前記ＯＦＤＭ実成分および虚成分は合成され、９９において提示される。
【０１３２】
図４は、スペクトル的に効率的な信号１１２と優位周波数成分１１４との前記ＯＭ-ＯＦＤＭ信号の帯域幅占有率が示されている。当該優位周波数成分１１４は前記ＯＭ-ＯＦＤＭ変調器において除算され、前記ＯＭ-ＯＦＤＭ復調器において復元される。
【０１３３】
本発明者らは、前記ＯＭ-ＯＦＤＭ変調方法がスペクトル的に効率的な信号を提供することを見いだし、それにより、当該信号からの情報を取り除くことなく前記ＰＡＰＲを調整することができ、かつ深刻なビット誤り率の劣化にもつながらないようにした。さらに、前記ＰＡＰＲが優位周波数を決定することに用いられることに表れているように、他のサイド情報を変換する必要もない。
【０１３４】
本発明者らは、本発明がデジタルビデオ放送（ＤＶＢ）、ワイマックス（ＷｉＭａｘ）、ロング・ターム・エボリューション（ＬＴＥ）の応用にとって多大な強みになると信じている。
【図１】
2013530616.tif 000064
【図２】
2013530616.tif 000065
【図３】
2013530616.tif 000066
【図４】
2013530616.tif 000067
【国際調査報告】
2013530616.tif 000068